(57)【要約】【課題】予備電球、懐中電灯、電池等、ある程度関連のある常備品等をまとめて収納しようとする際に、特に緊急の場合などに、必要とするものを手際よく取り出すことを可能とする。【解決手段】電球、懐中電灯、電池、豆電球及びグロー・ランプの等の収納物を組み合わせて収納するための収納具であって、電球用ソケット４、豆電球用ソケット、グロー・ランプ用ソケット５、予備電池収納部６、使用済電池収納部７及び懐中電灯用フック８等の収納物を保持する収納部を適宜位置に配置した収納具１であって、同種類の収納部同士を並べて配置する、同種類の収納部同士を左右の側板の内側に対向させて又は外側に反対向させて配置する、及び、同種類の収納部ごとに異なる色彩を呈する蓄光塗料乃至夜光塗料を施して配置する、ことにより収納物を相互に関連づけて配置する。壁掛けとしても機能する。【選択図】図１
0003105960.tif 000002
【実用新案登録請求の範囲】
【請求項１】
電球、懐中電灯、電池、豆電球及びグロー・ランプの等の収納物を組み合わせて収納するための収納具であって、予め、前記収納物のうち同種類のもの同士を相互に関連づけて配置収納することを特徴とする収納具。
【請求項２】
電球用ソケット、豆電球用ソケット、グロー・ランプ用ソケット、予備電池収納部、使用済電池収納部及び懐中電灯用フック等の収納物を保持する収納部を適宜位置に配置した収納具であって、同種類の収納部同士を並べて配置する、同種類の収納部同士を左右の側板の内側に対向させて又は外側に反対向させて配置する、及び、同種類の収納部ごとに異なる色彩を呈する蓄光塗料乃至夜光塗料を施して配置する、ことにより収納物を相互に関連づけて配置することを特徴とする収納具。
【請求項３】
前記収納具は、前記収納物乃至収納部を適宜位置に配置することによって、人間や動物の顔又はその他任意のイメージを与える意匠性を備えた壁掛けとしても機能することを特徴とする請求項１又は２に記載の収納具。
【考案の詳細な説明】
【技術分野】
【０００１】
本考案は、予備電球、懐中電灯、電池等の常備品を必要に応じて速やかに取り出せるように、予め決められた配置に従って収納するように構成した収納具に関するものである。
【背景技術】
【０００２】
従来、予備電球、懐中電灯、電池等の常備品は、戸棚や机の引き出し等に無造作にしまい込むことが多く、そのために電球が切れた場合や、地震など緊急の場合に慌てて探しても容易に見つからないことが多い。特に、夜中に緊急事態が発生した場合には、生命に拘わることもあり、深刻な事態を招きかねず問題であった。また、「装飾用電球アセンブリー包装用ホルダー」の発明が開示されている（特許文献１参照）。この発明は、装飾電球を流通・陳列・販売する際に、製品の散逸と破損を防ぐためのディスプレーの一種であり、本願発明とは、目的、作用、効果の点で異なる。
【特許文献１】特開平０９−１５０８７８号公報
【考案の開示】
【考案が解決しようとする課題】
【０００３】
解決しようとする問題点は、予備電球、懐中電灯、電池等、ある程度関連のある常備品等をまとめて収納しようとする際に、特に緊急の場合などに、必要とするものを手際よく取り出すために、収納物を如何に配置収納するかにある。
【課題を解決するための手段】
【０００４】
前記の課題を解決するために、本考案は、電球、懐中電灯、電池、豆電球及びグロー・ランプの等の収納物を組み合わせて収納するための収納具であって、予め、前記収納物のうち同種類のもの同士を相互に関連づけて配置収納することを特徴とする収納具とする（請求項１）。
【０００５】
また、前記の課題を解決するために、本考案は、電球用ソケット、豆電球用ソケット、グロー・ランプ用ソケット、予備電池収納部、使用済電池収納部及び懐中電灯用フック等の収納物を保持する収納部を適宜位置に配置した収納具であって、同種類の収納部同士を並べて配置する、同種類の収納部同士を左右の側板の内側に対向させて又は外側に反対向させて配置する、及び、同種類の収納部ごとに異なる色彩を呈する蓄光塗料乃至夜光塗料を施して配置する、ことにより収納物を相互に関連づけて配置することを特徴とする収納具とする（請求項２）。
【０００６】
また、前記の課題を解決するために、本考案は、前記収納具は、前記収納物乃至収納部を適宜位置に配置することによって、人間や動物の顔又はその他任意のイメージを与える意匠性を備えた壁掛けとしても機能することを特徴とする前記の収納具とすることが好ましい（請求項３）。
【考案の効果】
【０００７】
本考案の収納具は、前記のように構成したことによって、電球のフィラメントが切れた場合や電池が消耗した場合等、或いは懐中電灯が必要な場合に、予備電球や電池、懐中電灯等が収納具のどの位置に配置されているかが一目瞭然にわかるので、手際よく収納具から取り出すことができる。前記常備品を取り出した後は、その収納部が空であることが容易に視認できるので、補充することを忘れる心配もない。また、同種類の収納部ごとに異なる色彩を呈する夜光塗料乃至蓄光塗料を施して配置したものは、夜中や暗い場所において、例えば、電球のフィラメントが切れてから暫くの間は、光エネルギーを放散して光り、収納物の種類とその収納物の配置されている場所が分かるので、容易に且つ確実に収納物を取り出すことができるという利点がある。更に、収納具の配置の仕方によって意匠性に優れた、或いは子供向けの壁掛けとしても機能する。
【考案を実施するための最良の形態】
【０００８】
予備電球、懐中電灯、電池等、ある程度関連のある常備品をまとめて収納しようとする際に、特に緊急の場合などに、必要とするものを手際よく取り出すという目的を、前記収納物のうち同種類のもの同士を関連づけて配置収納することによって、或いは、同種類の収納部同士を関連づけて配置収納することによって実現した。以下に本考案に係る収納具の１実施例について説明するが、本考案は、この実施例によって何ら限定されるものではない。
【実施例】
【０００９】
図１（ａ）は、本考案に係る収納具の１実施例の正面図であって、図１（ｂ）は、図１（ａ）のＡ−Ａ線断面図である。本図において、１は、本考案に係る収納具であり、この収納具１は、箱形の収納ケース２と各収納物を収納するための収納部を備える。この収納ケース２の前面部は、上方の１／２〜２／３程度が開口しており、背面板３には、電球用ソケット４、豆電球・グローランプ用ソケット５が取着されている。
【００１０】
そして、前記収納ケース２の下方部には、上方に開口し、内部が左右に分割されていて、その一方に予備電池収納部６、他方に使用済電池収納部７が配設されている。そして、収納ケース２の両側面板９、９の外側には、懐中電灯用フック８、８が反対向して配置されている。収納ケース２の奥行きは、任意に選択できるが、電球等を収納した状態において、これら電球４’，豆電球５’等の収納物が収納ケース２の内部に収納できるように設計することが好ましい。また、収納ケース２の前面の開口部に硝子乃至透明プラスチック製の扉を設けてもよい（図示せず）。
【００１１】
この実施例の箱形の収納ケース２を構成する材料は特に限定されるものではないが、例えば、保形成を有する熱可塑性乃至熱硬化性プラスチック、木材、金属などが好ましい。前記プラスチックを射出成形、トランスファー成形、熱プレスなどによって成形する。前記電球用ソケット４、豆電球・グローランプ用ソケット５等の各種ソケット類は、中空円筒状の内面部に電球のねじ込み部よりも若干小径の弾性体で断面を凹凸状等に形成したものからなり、前記中空部に電球のねじ込み部を差し込んで着脱自在に係止することができる。
【００１２】
予備電池収納部６と使用済電池収納部７は、上方に開口しており、この開口部から電池を落とし込んで未使用の乾電池と使用済みの乾電池をそれぞれ別々に収納する。また、この前面の閉塞部を開閉自在な扉に構成して、乾電池が溜まったらこの扉を開けて中の乾電池を取り出すように構成してもよい。これら収納部の中に、例えばネット状袋を予め開口状態で備え、この袋の中に乾電池が溜まった時点で、袋ごと取り出すように構成することが好ましい。また、この扉の前面に「未使用」「使用済」などの文字を記載ないし印刷したシート６ａ，７ａを貼って、乾電池の収納ミスを防ぐことができる。
【００１３】
懐中電灯用フック８、８は、プラスチック製乃至金属製のかぎ状のものを両側面板９、９に接着剤で接着するか、又は吸盤を介して取り付ける。このフックに懐中電灯の係止部を引っ掛けて垂下する。フックは市販のものでもよい。また、収納ケース２の上方両隅部には壁掛け用穴１０，１０が設けてあり、この穴に釘、木ねじ、フックなどを通して壁に掛けて使用することが好ましい。
【００１４】
次に、前記収納部の位置が暗闇の中でも視認できるように、収納部の適宜位置に蓄光塗料や夜光塗料等で目印を施すことが好ましい。この目印によって、例えば、夜中に使用中の電球が切れた場合や、地震発生などの緊急の場合にも、即座に予備電球や懐中電灯の収納場所が視認できるので慌てることなく対応ができる。前記プラスチック製収納ケース２の全体を発光させるには、原材料コンパンド乃至配合剤の中に、例えば、イージーブライト社製又は根本特殊化学社製の粉末乃至粒状の蓄光顔料乃至夜光顔料をポリマーブレンドし、熱成形する。
【００１５】
図１（ａ）に示すように、各収納部近辺の所定位置、例えば、４ａ，５ａに、ＪＩシステムズ社製等の蓄光塗料や夜光塗料をスプレー等で塗布する。或いは、前記蓄光顔料を練り込んだプラスチックシートを前記所定位置に貼り付けてもよい。更に、同種類の収納部の位置が容易に識別できるように、４ａ，５ａ，６ａ，７ａ毎に色の異なる蓄光塗料や夜光塗料を配色することが好ましい。これらの目印乃至収納部が全体に人間やロボットの顔のようにイメージされることから、特に子供達の興味を引き、進んで収納具を利用するように促すばかりでなく、壁掛けとしても使用することができる。
【００１６】
前記の実施例においては、電球、懐中電灯、電池、豆電球及びグロー・ランプを例にして説明したが、これらの収納物以外にも、家庭用の小物、子供の遊び道具、非常用持ち出し品など同種類のものを関連づけて収納する収納具として広く利用できるものである。
【産業上の利用可能性】
【００１７】
本考案は、他種類の収納物を整理整頓して収納することができ、必要なものを即座に容易に取り出し、且つ、足りないものを補充することができると言う、収納具本来の目的にあった機能を備え、しかも構成がシンプルで経済的にも優れており、広く適用できる。
【図面の簡単な説明】
【００１８】
【図１】（ａ）は、実施例に係る収納具の正面図であり、（ｂ）は、（ａ）のＡ−Ａ線断面図である。
【符号の説明】
【００１９】
１    収納具
２    収納ケース
３    背面板
４    電球用ソケット
４’  電球
５    豆電球・グローランプ用ソケット
５’  豆電球
６    予備電池収納部
７    使用済電池収納部
８    懐中電灯用フック
９    側面板
１０    壁掛け用穴
４ａ，５ａ，６ａ，７ａ：  目印用シート
【図１】
0003105960.tif 000003
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
箱形の収納ケースに電球、懐中電灯、電池、豆電球及びグロー・ランプの等の収納物を収納するための収納部を備えた収納具であって、前記収納部は、電球用ソケット、豆電球用ソケット、グロー・ランプ用ソケット、予備電池収納部、使用済電池収納部及び懐中電灯用フック等からなる収納部を適宜組み合わせてなり、且つ、同種類の収納部同士を並べて配置する、同種類の収納部同士を左右の側板の内側に対向させて又は外側に反対向させて配置する、及び、同種類の収納部ごとに異なる色彩を呈する蓄光塗料乃至夜光塗料を施して配置する、の中の何れかによって乃至何れかを組み合わせによって関連づけて配置されてなることを特徴とする収納具。
【請求項２】
前記収納具は、人間や動物の顔等のイメージを与えるように、前記収納部が目、耳及び口等の適宜部位に配置されてなることを特徴とする請求項１に記載の収納具。
【手続補正２】
【補正対象書類名】明細書
【補正対象項目名】全文
【補正方法】変更
【補正の内容】
【考案の詳細な説明】
【技術分野】
【０００１】
本考案は、予備電球、懐中電灯、電池等の常備品を必要に応じて速やかに取り出せるように、予め決められた配置に従って収納するように構成した収納具に関するものである。
【背景技術】
【０００２】
従来、予備電球、懐中電灯、電池等の常備品は、戸棚や机の引き出し等に無造作にしまい込むことが多く、そのために電球が切れた場合や、地震など緊急の場合に慌てて探しても容易に見つからないことが多い。特に、夜中に緊急事態が発生した場合には、生命に拘わることもあり、深刻な事態を招きかねず問題であった。また、「装飾用電球アセンブリー包装用ホルダー」の発明が開示されている（特許文献１参照）。この発明は、装飾電球を流通・陳列・販売する際に、製品の散逸と破損を防ぐためのディスプレーの一種であり、本願発明とは、目的、作用、効果の点で異なる。
【特許文献１】特開平０９−１５０８７８号公報
【考案の開示】
【考案が解決しようとする課題】
【０００３】
解決しようとする問題点は、予備電球、懐中電灯、電池等、ある程度関連のある常備品等をまとめて収納しようとする際に、特に緊急の場合などに、必要とするものを手際よく取り出すために、収納物を如何に配置収納するかにある。
【課題を解決するための手段】
【０００４】
前記の課題を解決するために、本考案は、箱形の収納ケースに電球、懐中電灯、電池、豆電球及びグロー・ランプの等の収納物を収納するための収納部を備えた収納具であって、前記収納部は、電球用ソケット、豆電球用ソケット、グロー・ランプ用ソケット、予備電池収納部、使用済電池収納部及び懐中電灯用フック等からなる収納部を適宜組み合わせてなり、且つ、同種類の収納部同士を並べて配置する、同種類の収納部同士を左右の側板の内側に対向させて又は外側に反対向させて配置する、及び、同種類の収納部ごとに異なる色彩を呈する蓄光塗料乃至夜光塗料を施して配置する、の中の何れかによって乃至何れかを組み合わせによって関連づけて配置されてなることを特徴とする収納具とする（請求項１）。
【０００５】
また、前記の課題を解決するために、本考案は、前記収納具は、人間や動物の顔等のイメージを与えるように、前記収納部が目、耳及び口等の適宜部位に配置されてなることを特徴とする前記に記載の収納具とすることが好ましい（請求項２）。
【考案の効果】
【０００６】
本考案の収納具は、前記のように構成したことによって、電球のフィラメントが切れた場合や電池が消耗した場合等、或いは懐中電灯が必要な場合に、予備電球や電池、懐中電灯等が収納具のどの位置に配置されているかが一目瞭然にわかるので、手際よく収納具から取り出すことができる。前記常備品を取り出した後は、その収納部が空であることが容易に視認できるので、補充することを忘れる心配もない。また、同種類の収納部ごとに異なる色彩を呈する夜光塗料乃至蓄光塗料を施して配置したものは、夜中や暗い場所において、例えば、電球のフィラメントが切れてから暫くの間は、光エネルギーを放散して光り、収納物の種類とその収納物の配置されている場所が分かるので、容易に且つ確実に収納物を取り出すことができるという利点がある。更に、収納具の配置の仕方によって意匠性に優れた、或いは子供向けの壁掛けとしても機能する。
【考案を実施するための最良の形態】
【０００７】
予備電球、懐中電灯、電池等、ある程度関連のある常備品をまとめて収納しようとする際に、特に緊急の場合などに、必要とするものを手際よく取り出すという目的を、前記収納物のうち同種類のもの同士を関連づけて配置収納することによって、或いは、同種類の収納部同士を関連づけて配置収納することによって実現した。以下に本考案に係る収納具の１実施例について説明するが、本考案は、この実施例によって何ら限定されるものではない。
【実施例】
【０００８】
図１（ａ）は、本考案に係る収納具の１実施例の正面図であって、図１（ｂ）は、図１（ａ）のＡ−Ａ線断面図である。本図において、１は、本考案に係る収納具であり、この収納具１は、箱形の収納ケース２と各収納物を収納するための収納部を備える。この収納ケース２の前面部は、上方の１／２〜２／３程度が開口しており、背面板３には、電球用ソケット４、豆電球・グローランプ用ソケット５が取着されている。
【０００９】
そして、前記収納ケース２の下方部には、上方に開口し、内部が左右に分割されていて、その一方に予備電池収納部６、他方に使用済電池収納部７が配設されている。そして、収納ケース２の両側面板９、９の外側には、懐中電灯用フック８、８が反対向して配置されている。収納ケース２の奥行きは、任意に選択できるが、電球等を収納した状態において、これら電球４’，豆電球５’等の収納物が収納ケース２の内部に収納できるように設計することが好ましい。また、収納ケース２の前面の開口部に硝子乃至透明プラスチック製の扉を設けてもよい（図示せず）。
【００１０】
この実施例の箱形の収納ケース２を構成する材料は特に限定されるものではないが、例えば、保形成を有する熱可塑性乃至熱硬化性プラスチック、木材、金属などが好ましい。前記プラスチックを射出成形、トランスファー成形、熱プレスなどによって成形する。前記電球用ソケット４、豆電球・グローランプ用ソケット５等の各種ソケット類は、中空円筒状の内面部に電球のねじ込み部よりも若干小径の弾性体で断面を凹凸状等に形成したものからなり、前記中空部に電球のねじ込み部を差し込んで着脱自在に係止することができる。
【００１１】
予備電池収納部６と使用済電池収納部７は、上方に開口しており、この開口部から電池を落とし込んで未使用の乾電池と使用済みの乾電池をそれぞれ別々に収納する。また、この前面の閉塞部を開閉自在な扉に構成して、乾電池が溜まったらこの扉を開けて中の乾電池を取り出すように構成してもよい。これら収納部の中に、例えばネット状袋を予め開口状態で備え、この袋の中に乾電池が溜まった時点で、袋ごと取り出すように構成することが好ましい。また、この扉の前面に「未使用」「使用済」などの文字を記載ないし印刷したシート６ａ，７ａを貼って、乾電池の収納ミスを防ぐことができる。
【００１２】
懐中電灯用フック８、８は、プラスチック製乃至金属製のかぎ状のものを両側面板９、９に接着剤で接着するか、又は吸盤を介して取り付ける。このフックに懐中電灯の係止部を引っ掛けて垂下する。フックは市販のものでもよい。また、収納ケース２の上方両隅部には壁掛け用穴１０，１０が設けてあり、この穴に釘、木ねじ、フックなどを通して壁に掛けて使用することが好ましい。
【００１３】
次に、前記収納部の位置が暗闇の中でも視認できるように、収納部の適宜位置に蓄光塗料や夜光塗料等で目印を施すことが好ましい。この目印によって、例えば、夜中に使用中の電球が切れた場合や、地震発生などの緊急の場合にも、即座に予備電球や懐中電灯の収納場所が視認できるので慌てることなく対応ができる。前記プラスチック製収納ケース２の全体を発光させるには、原材料コンパンド乃至配合剤の中に、例えば、イージーブライト社製又は根本特殊化学社製の粉末乃至粒状の蓄光顔料乃至夜光顔料をポリマーブレンドし、熱成形する。
【００１４】
図１（ａ）に示すように、各収納部近辺の所定位置、例えば、４ａ，５ａに、ＪＩシステムズ社製等の蓄光塗料や夜光塗料をスプレー等で塗布する。或いは、前記蓄光顔料を練り込んだプラスチックシートを前記所定位置に貼り付けてもよい。更に、同種類の収納部の位置が容易に識別できるように、４ａ，５ａ，６ａ，７ａ毎に色の異なる蓄光塗料や夜光塗料を配色することが好ましい。これらの目印乃至収納部が全体に人間やロボットの顔のようにイメージされることから、特に子供達の興味を引き、進んで収納具を利用するように促すばかりでなく、壁掛けとしても使用することができる。
【００１５】
前記の実施例においては、電球、懐中電灯、電池、豆電球及びグロー・ランプを例にして説明したが、これらの収納物以外にも、家庭用の小物、子供の遊び道具、非常用持ち出し品など同種類のものを関連づけて収納する収納具として広く利用できるものである。
【産業上の利用可能性】
【００１６】
本考案は、他種類の収納物を整理整頓して収納することができ、必要なものを即座に容易に取り出し、且つ、足りないものを補充することができると言う、収納具本来の目的にあった機能を備え、しかも構成がシンプルで経済的にも優れており、広く適用できる。
【図面の簡単な説明】
【００１７】
【図１】（ａ）は、実施例に係る収納具の正面図であり、（ｂ）は、（ａ）のＡ−Ａ線断面図である。
【符号の説明】
【００１８】
１    収納具
２    収納ケース
３    背面板
４    電球用ソケット
４’  電球
５    豆電球・グローランプ用ソケット
５’  豆電球
６    予備電池収納部
７    使用済電池収納部
８    懐中電灯用フック
９    側面板
１０    壁掛け用穴
４ａ，５ａ，６ａ，７ａ：  目印用シート